【手続補正書】
【提出日】平成15年9月3日(2003.9.3)
【手続補正１】
【補正対象書類名】明細書
【補正対象項目名】特許請求の範囲
【補正方法】変更
【補正の内容】
【特許請求の範囲】
【請求項１】
インク収容体を装着可能な装着部を備え、該インク収容体から供給されたインクを記録ヘッドから媒体に向けて吐出して該媒体に対する記録を行う記録装置本体を有するインクジェット記録装置において、
前記装着部は、複数色のインクをそれぞれ収容する複数のインク収容部を有するインク収容体を装着可能であり、
前記記録装置本体は、
前記記録ヘッドでのインク消費量に基づいて前記複数色のインクの各残量データを算出し、
前記インク収容体に備えられ前記複数色のインクの情報を記憶するシーケンシャルアクセス形式の記憶手段に対し、前記複数色のインクの前記各残量データを連続して出力する
ことを特徴とするインクジェット記録装置。
【請求項２】
請求項１において、前記シーケンシャルアクセス形式の記憶手段は、クロック信号に基づいてカウントアップあるいはカウントダウンを行うアドレスカウンタを備えることを特徴とするインクジェット記録装置。
【請求項３】
請求項１又は２において、前記記憶手段は、読み出し専用データとして前記複数色のインク間で共通するデータを記憶することを特徴とするインクジェット記録装置。
【請求項４】
請求項３において、前記共通するデータは、前記インク収容体の開封時期データ、バージョンデータ、インクの種類データ、製造時期データ、製造ラインデータ、シリアルナンバーデータ、リサイクル有無データのいずれかのデータを含むことを特徴とするインクジェット記録装置。
【請求項５】
請求項３又は４において、前記記憶手段は、アクセス時に前記共通するデータを記憶する記憶領域よりも先にアクセスされる領域に、前記各残量データを記憶する記憶領域を備えていることを特徴とするインクジェット記録装置。
【請求項６】
請求項１〜５のいずれかにおいて、前記各残量データを記憶する記憶領域には、最新のインク残量のデータ書き換えが順番に行われる２以上の記憶領域を前記複数色のインク毎に連続してアクセスされる領域に備えていることを特徴とするインクジェット記録装置。
【請求項７】
請求項１〜６のいずれかにおいて、前記残量データは、前記記録装置本体の電源スイッチが切られた以降に書き換えが行われることを特徴とするインクジェット記録装置。
【請求項８】
請求項１〜７のいずれかにおいて、前記記憶手段は、ＥＥＰＲＯＭであることを特徴とするインクジェット記憶装置。
【請求項９】
インク収容体を装着し、
装着された前記インク収容体から供給されたインクを記録ヘッドから媒体に向けて吐出し、該媒体に対する記録を行う記録方法において、
複数色のインクをそれぞれ収容する複数のインク収容部を有するインク収容体を装着し、
前記記録ヘッドでのインク消費量に基づいて前記複数色のインクの各残量データを算出し、
前記インク収容体に備えられ前記複数色のインクの情報を記憶するシーケンシャルアクセス形式の記憶手段に対し、前記複数色のインクの前記各残量データを連続して出力する
ことを特徴とするインクジェット記録方法。
【請求項１０】
インクを収容するとともに、インクジェット記録装置の記録装置本体に着脱されるインク収容体において、
複数色のインクをそれぞれ収容する複数のインク収容部と、
前期記録装置本体からアクセス可能であり、前記複数色のインクの情報を記憶するシーケンシャルアクセス形式の記憶手段と
を有し、
前記記憶手段は、前記複数色のインクの各残量データを、連続してアクセスされる領域に記憶する
ことを特徴とするインク収容体。
【請求項１１】
インクを収容するとともに、インクジェット記録装置の記録装置本体に着脱されるインク収容体において、
複数色のインクをそれぞれ収容する複数のインク収容部と、
前記記録装置本体からアクセス可能であり、前記複数色のインクの情報を記憶する記憶手段と
を有し、
前記記憶手段は、前記複数色のインク間で共通のデータを記憶する
ことを特徴とするインク収容体。
【請求項１２】
請求項１１において、前記共通するデータは、前記インク収容体の開封時期データ、バージョンデータ、インクの種類データ、製造時期データ、製造ラインデータ、シリアルナンバーデータ、リサイクル有無データのいずれかのデータを含むことを特徴とするインク収容体。
【請求項１３】
請求項１２において、前記共通するデータは、各色間で１種類のみであることを特徴とするインク収容体。
【請求項１４】
請求項１１〜１３のいずれかにおいて、
前記記憶手段は、シーケンシャルアクセス形式の記憶手段であり、
前記記憶手段は、前記共通のデータを記憶する領域よりも先にアスセスされる領域に、前記複数色のインクの各残量データを記憶する記憶領域を備えている
ことを特徴とするインク収容体。
【請求項１５】
インク収容体を装着可能な装着部を備え、該インク収容体から供給されたインクを記録ヘッドから媒体に向けて吐出して該媒体に対する記録を行う記録装置本体を有するインクジェット記録装置において、
前記装着部は、複数色のインクをそれぞれ収容する複数のインク収容部を有するインク収容体を装着可能であり、
前記記録装置本体は、前記インク収容体に備えられ前記複数色のインクの情報を記憶する記憶手段から、前記複数色のインク間で共通のデータを読み出す
ことを特徴とするインクジェット記録装置。
【請求項１６】
インク収容体を装着し、
装着された前記インク収容体から供給されたインクを記録ヘッドから媒体に向けて吐出し、該媒体に対する記録を行う記録方法において、
複数色のインクをそれぞれ収容する複数のインク収容部を有するインク収容体を装着し、
前記インク収容体に備えられ前記複数色のインクの情報を記憶する記憶手段から、前記複数色のインク間で共通のデータを読み出す
ことを特徴とするインクジェット記録方法。
【手続補正２】
【補正対象書類名】明細書
【補正対象項目名】０００５
【補正方法】変更
【補正の内容】
【０００５】
以上の問題点に鑑みて、本発明の課題は、インク収容体に搭載される記憶素子として安価なものを用いても、インク残量などといったデータを確実に書き換えることのできるインクジェット記録装置、インクジェット記録方法、およびそれに用いるインク収容体を提供することにある。
また、本発明の課題は、インクの色にかかわらず共通のデータを、各色間で共通のデータとして記録するインク収容体、およびそれを用いるインクジェット記録装置、インクジェット記録方法、を提供することにある。


【手続補正３】
【補正対象書類名】明細書
【補正対象項目名】０００６
【補正方法】変更
【補正の内容】
【０００６】
【課題を解決するための手段】
上記課題を解決するため、本発明では、インク収容体を装着可能な装着部を備え、該インク収容体から供給されたインクを記録ヘッドから媒体に向けて吐出して該媒体に対する記録を行う記録装置本体を有するインクジェット記録装置において、前記装着部は、複数色のインクをそれぞれ収容する複数のインク収容部を有するインク収容体を装着可能であり、前記記録装置本体は、前記記録ヘッドでのインク消費量に基づいて前記複数色のインクの各残量データを算出し、前記インク収容体に備えられ前記複数色のインクの情報を記憶するシーケンシャルアクセス形式の記憶手段に対し、前記複数色のインクの前記各残量データを連続して出力することを特徴とする。


【手続補正４】
【補正対象書類名】明細書
【補正対象項目名】０００７
【補正方法】変更
【補正の内容】
【０００７】
本発明では、インク収容体に搭載する記憶素子として、シーケンシャルアクセスしか行なわれない安価な記憶手段を用いたので、使い捨てにされるという性質に合ったコストでインク収容体を提供できる。また、インク残量を色別に記憶し、監視するので、たとえば、カラーで記録した際に実際の印刷結果が指定した色と相違していたときに、その原因が指定の誤りであったのか、あるいは特定の色のインクが切れていたことによるものであったのかをすぐに判断できるなどの利点がある。さらに、各残量データを記憶する記憶領域において、記録装置本体側で算出された複数色のインクの各残量データを連続してアクセスされる領域で記憶するので、各色のインクの残量データを短時間のうちに書き換えることができる。
すなわち、インク残量データは、一連の記録が完了した後に書き換えが行なわれるので、電源スイッチを切ったときに書き換えを行なうのが好ましいが、書き換え途中でコンセントが抜かれてデータが破壊してしまうと、それ以降、インク残量の監視が行なえなくなる。しかるに本発明では、各残量データを記憶する記憶領域に各色のインクの残量データをまとめて記憶しているので、コンセントが抜かれる前にデータの書き換えを完了でき、データの書き換え異常が発生しにくい。


【手続補正５】
【補正対象書類名】明細書
【補正対象項目名】０００８
【補正方法】変更
【補正の内容】
【０００８】
本発明において、前記シーケンシャルアクセス形式の記憶手段は、クロック信号に基づいてカウントアップあるいはカウントダウンを行うアドレスカウンタを備えることが好ましい。また、前記記憶手段は、読み出し専用データとして前記複数色のインク間で共通するデータを記憶することが好ましい。また、前記共通するデータは、前記インク収容体の開封時期データ、バージョンデータ、インクの種類データ、製造時期データ、製造ラインデータ、シリアルナンバーデータ、リサイクル有無データのいずれかのデータを含むことが好ましい。


【手続補正６】
【補正対象書類名】明細書
【補正対象項目名】０００９
【補正方法】変更
【補正の内容】
【０００９】
本発明において、前記記憶手段は、前記記憶手段は、アクセス時に前記共通するデータを記憶する記憶領域よりも先にアクセスされる領域に、前記各残量データを記憶する記憶領域を備えていることが好ましい。このように構成すると、書き換えが行なわれる記憶領域に記憶されている残量データは、共通するデータが記憶される記憶領域よりも先にアクセスされる構成になっているので、短時間のうちに書き換えを完了することができる。従って、電源スイッチを切った以降に各残量データを記憶する記憶領域においてデータの書き換えが行なわれる場合でも、コンセントが抜かれる前にデータの書き換えを完了できる。それ故、シーケンシャルアクセスしか行なわれない安価な記憶手段を用いてインク収容体の低コスト化を図っても、データの書き換え異常が発生しにくいという利点がある。


【手続補正７】
【補正対象書類名】明細書
【補正対象項目名】００１０
【補正方法】変更
【補正の内容】
【００１０】
本発明において、前記各残量データを記憶する記憶領域には、最新のインク残量のデータ書き換えが順番に行われる２以上の記憶領域を前記複数色のインク毎に連続してアクセスされる領域に備えていることが好ましい。このように構成すると、万が一に、最新のインク残量のデータ書き換えを行なっている途中にコンセントが抜かれるなどのトラブルがあってデータ書き換えが正常に行なわれなくても、他の領域には、前回書き換えを行なったデータが必ず、記憶されている。従って、今回のデータ書き換えに異常が発生しても、前回書き換えたデータに基づいてインク残量の監視を継続することができる。


【手続補正８】
【補正対象書類名】明細書
【補正対象項目名】００６３
【補正方法】変更
【補正の内容】
【００６３】
【発明の効果】
以上説明したように、本発明に係るインク収容体、インクジェット記録方法およびインクジェット記録装置では、インク収容体に搭載する記憶素子として、シーケンシャルアクセスしか行なわれない安価な記憶手段を用いたので、使い捨てにされるという性質に合ったコストでインク収容体を提供できる。また、インク残量を色別に記憶し、監視するので、たとえば、カラーで記録した際に指定した色と相違していたときに、その原因が指定の誤りであったのか、あるいは特定の色のインクが切れていたことによるものであったのかをすぐに判断できる。さらに、複数色のインクの各残量データを記憶する記憶領域において、記録装置本体側で算出された複数色のインクの各残量データを連続してアクセスされる領域で記憶するので、各色のインクの残量データを短時間のうちに書き換えることができる。それ故、コンセントが抜かれる前にデータの書き換えを完了でき、データの書き換え異常が発生しにくい。
また、インクの色にかかわらず共通のデータを、各色間で共通のデータとして記録するインク収容体、およびそれを用いるインクジェット記録装置、インクジェット記録方法を提供することができる。